(57)【特許請求の範囲】
【請求項１】
解錠状態保持機構３１は、第１係合腕５２及び第２係合腕５３を有すると共に、錠箱１に軸支されたストッパレバー３３と、このストッパレバーの前記第２係合腕５３と係脱する被係合部３８を有すると共にダルマ３に噛合するラック４３を有する摺動部材３２と、前記ストッパレバー３３を前記摺動部材３２に係合する方向へ常時付勢するバネ部材或いは反発力を付与する磁性体５５とから構成され、一方、トリガー１１は、前記第１係合腕５２に連係するように前記錠箱の前壁側に配設され、開閉体２を閉じると、前記トリガー１１が作動して前記ストッパレバー３３が前記解錠状態の保持状態を解く方向へと回転し、その後、前記ダルマ３は錠箱内に配設された付勢手段７０の付勢力により自動的に施錠方向へと回動して、施錠片４が自動施錠になることを特徴とする錠前。
【請求項２】
請求項１に於いて、動力源の付勢手段７０は、錠箱側に一端部が取付けられ、一方、他端部がダルマ３側に取付けられていることを特徴とする錠前。
【請求項３】
請求項１に於いて、付勢手段７０は、捩じりコイルバネと、該捩じりコイルバネの螺旋状中央部を横柱で支持する可動のバネガイドとから成ることを特徴とする錠前。
【請求項４】
請求項１に於いて、錠前は電気錠Ｘであり、また、摺動部材は該電気錠の錠箱１の前壁の内面と錠箱の後壁の内面の間を、傾斜案内部４８を介して往復運動をすることを特徴とする錠前。
【請求項５】
請求項１に於いて、トリガー１１の後退時、ストッパレバー３３はトリガーと共働する間接部材１２を介して回転することを特徴とする錠前。
【請求項６】
請求項１に於いて、デッドボルト４には作動アーム１８の上端部が枢支され、一方、該作動アーム１８の下端部には、錠箱１側に設けられた案内切欠部２０に案内される横杆状のデッド用ストッパ１９を取付け、該デッド用ストッパ１９は、前記デッドボルト４が付勢手段７０の付勢力によって完全に突出した施錠時には、前記案内切欠部２０に案内されてデッドボルト４の後端面をロックすることを特徴とする錠前。
【発明の詳細な説明】
【技術分野】
【０００１】
本発明は、トリガー機構を備えた錠前に関する。
【背景技術】
【０００２】
特許文献１には、錠前の一例として電気錠が記載されている。この種の電気錠は、普通一般に、電気的に開閉が可能であると同時に、合鍵、サムターン摘み等の操作部材による操作力によっても機械的に開閉可能な施・解錠機構を備えている。
【０００３】
ところで、従来、例えば錠前としての電気錠は、電気錠の施・解錠機構（デッドボルトの出没を制御する機構）に関しては、制御部の制御（電気回路や記憶部の情報）に頼るというのが一般的発想なので、駆動源としては、電動モータと機械的に開閉可能なシリンダ錠の両方のみで十分である、と考えられている。しかし、デッドボルトが電動モータ（駆動モータ）の駆動力により、例えば解錠状態から施錠状態へと移動している途中に於いて、該デッドボルトに錠箱側から側圧が掛かった場合には、該デッドボルトが錠箱から完全突出しない事態が生じ、現在、このような問題点を解消することが要望されている。
【０００４】
また、施錠状態を電動又は手動で解錠状態にしたまま開閉体を開いたときに、錠箱内に後退した施錠片の解錠状態を保持する解錠状態保持機構と、一方、開閉体を閉じた時、トリガーの作動により前記解錠状態保持機構の解錠状態が解かれ、これにより前記施錠片が錠箱から自動的に突出して自動施錠状態となる錠前のような新規な錠前を開発する場合、閉扉時、トリガーの後退動に起因して解錠状態保持機構の解錠状態が解かれると、該解錠状態保持機構を構成する摺動部材及びダルマが、電動モータ以外の駆動源以外の駆動源、例えば錠箱内の付勢手段の付勢力により作動して自動施錠状態になること期待される。なお、特許文献２には、
デッドボルトのラックと係合する係合歯を有する係止レバーと係脱するトリガー体を有するトリガー機構を備えた錠止装置（錠前）のの一例が開示されているものの、前記期待に答えることができない。
【先行技術文献】
【特許文献】
【０００５】
【特許文献１】特開平６−１０８７１６号公報
【特許文献２】特許第４２８９６５７号公報
【発明の概要】
【発明が解決しようとする課題】
【０００６】
本発明の所期の目的は、トリガーの作動を前提条件とし、かつ、動力源として付勢手段を用いて自動施錠状態にすること。すなわち、閉扉時、トリガーの後退動に起因して解錠状態保持機構の解錠状態が解かれると、該解錠状態保持機構を構成する摺動部材及びダルマが錠箱内の付勢手段の付勢力により作動して自動施錠状態になることである。また、本発明の第２の目的は、錠箱の内部空間を有効的に活用することである。また、本発明の第３の目的は、デッドボルトに錠箱側から側圧が掛かった場合であっても、デッドボルトが錠箱から完全に突出することである。また、本発明の第４の目的は、動力源としての付勢手段が常に安定した状態で作用することである。さらに、本発明の第５の目的は、トリガーの後退時、ストッパレバーが確実に回転することである。その他の目的は従属項によって特定され得る。
【課題を解決するための手段】
【０００７】
本発明の錠前は、解錠状態保持機構３１は、第１係合腕５２及び第２係合腕５３を有すると共に、錠箱１に軸支されたストッパレバー３３と、このストッパレバーの前記第２係合腕５３と係脱する被係合部３８を有すると共にダルマ３に噛合するラック４３を有する摺動部材３２と、前記ストッパレバー３３を前記摺動部材３２に係合する方向へ常時付勢するバネ部材或いは反発力を付与する磁性体５５とから構成され、一方、トリガー１１は、前記第１係合腕５２に連係するように前記錠箱の前壁側に配設され、開閉体２を閉じると、前記トリガー１１が作動して前記ストッパレバー３３が前記解錠状態の保持状態を解く方向へと回転し、その後、前記ダルマ３は錠箱内に配設された付勢手段７０の付勢力により自動的に施錠方向へと回動して、施錠片４が自動施錠になることを特徴とする。
【０００８】
なお、上記構成に於いて、「ダルマ３と摺動部材３２との噛合」は、本実施例のようにダルマ３の係合歯と摺動部材３２ラック４３とを直接的に噛み合わせても良いし、又は他の歯車を介在させて間接的に噛み合わせても良い。
【発明の効果】
【０００９】
（ａ）請求項１に記載の発明は、動力源として錠箱内の付勢手段を用い、閉扉時、トリガーの後退動に起因して解錠状態保持機構の解錠状態が解かれると、該解錠状態保持機構を構成する摺動部材及びダルマが前記付勢手段の付勢力により作動して自動施錠状態になる。
（ｂ）また、施錠時、常に駆動モータの駆動力に頼らないので、例えばダルマが起動した初期時以降にデッドボルトに錠箱側から側圧が掛かった場合であっても、デッドボルトが錠箱から完全に突出する。
（ｃ）さらに、解錠状態保持機構を新規な構成で実現することができる。
（ｄ）請求項２に記載の発明は、錠箱の内部空間を有効的に活用することができる。
（ｅ）請求項３に記載の発明は、付勢手段は、捩じりコイルバネと、該捩じりコイルバネの螺旋状中央部を横柱で支持する可動のバネガイドとから成るので、付勢手段が常に安定した状態で作用する。
（ｆ）請求項４に記載の発明は、錠箱の内部空間を有効的に活用することができる。特に、錠前が多数の部材を構成要件とする電気錠の場合に於いて、摺動部材は、少なくとも錠箱の前壁の内面と錠箱の後壁の内面の間を、例えば傾斜案内部を介して往復運動するので、電気錠の錠箱の内部空間を有効的に活用することができる。
（ｇ）請求項５に記載の発明は、トリガーの後退時、ストッパレバー３３は間接部材（例えば押圧片と、該押圧片と共働する可動片）を介して確実に回転する。また、トリガー１１とストッパレバー３３の間には、トリガーの後端部の段差状或いは凹所状の逃げ部分に入り込むことができる押圧片１３を備えた間接部材１２が存在するので、戸枠Ｙの縦枠と開閉体２の縦框２ａとの間のクリアランスに対応することも可能である。
（ｈ）請求項６に記載の発明は、簡単な構成により、防犯性を保持することができる。
【図面の簡単な説明】
【００１０】
図１乃至図２３は本発明の第１実施例を示す各説明図。図２４至図３１は本発明の第２実施例を示す各説明図。
【図１】錠前Ｘの設置環境の一例を示す概略説明図。
【図２】錠前（例えば電気錠システムの全体）を示す概略説明図。
【図３】主要部（トリガーと、これに連動する解錠状態保持機構）の概略説明図。
【図４】要部の平面視からの概略説明図。
【図５】主要部の概略説明図（トリガーの後退時）。
【図６】要部（解錠状態保持機構）の概略説明図。
【図７】解錠状態保持機構を構成する摺動部材とストッパレバーの斜視図。
【図８】摺動部材の正面視からの説明図。
【図９】図８の９−９線断面図。
【図１０】図８の１０−１０線端面図。
【図１１】摺動部材用ガイド板の説明図。
【図１２】摺動部材のスライダ板の正面視からの説明図。
【図１３】摺動部材のラック板の正面視からの説明図。
【図１４】正面視側からの概略説明図（解錠状態保持の時）。
【図１５】背面視側からの概略説明図（解錠状態保持の時）。
【図１６】付勢手段の正面視からの説明図（完全施錠状態の時）。
【図１７】付勢手段の分解斜視図。
【図１８】付勢手段の正面視からの説明図（完全解錠状態の時）。
【図１９】閉戸時、トリガーが作動してストッパレバーの係止が解除され、以後の付勢手段の作用を示す概略説明図（解錠位置から施錠位置へ）。
【図２０】図１９に於いて、摺動部材の位置変位を示す概略説明図（解錠位置から施錠位置へ）。
【図２１】図１９に於いて、ダルマとデッドボルトの動きを示す概略説明図。
【図２２】正面視側からの概略説明図（完全施錠状態）。
【図２３】デッドボルトの後端面から見た解錠状態から完全施錠状態に至る概略断面説明図。
【図２４】第２実施例の主要部（トリガーと、これに連動する解錠状態保持機構）の概略説明図。
【図２５】主要部の概略説明図（トリガーの後退時）。
【図２６】要部（トリガーと該トリガーと共働する間接部材）の正面視からの概略説明図。
【図２７】図２６に於いて、背面視側からの概略説明図。
【図２８】要部（トリガーと間接部材の押圧片）の正面視からの概略説明図。
【図２９】要部（間接部材の押圧片と可動片、可動片とストッパレバーの係合関係）の正面視からの概略説明図。
【図３０】要部（トリガー、間接部材の押圧片と可動片、可動片とストッパレバーの係合関係）の斜視からの説明図。
【図３１】要部の作用（トリガー、間接部材、ストッパレバー）の説明図。
【発明を実施するための形態】
【００１１】
（１）主な構成部材
ここでは、錠前Ｘの一例として電気錠を説明する。電気錠Ｘの主な構成部材は、錠箱１内に組込まれている、駆動モータ８０、動力伝達歯車８７、８８、図示しないロック解除用回転体、摺動部材３２、該摺動部材を係止するストッパレバー３３を含む解錠状態保持機構３１、摺動部材３２に噛合するダルマ３、ダルマ３の駆動カム或いはダルマに連結された駆動リンク等の動力変換手段５を介して押し出されるデッドボルト４である。
【００１２】
（２）本発明の特徴事項
本発明は、施錠状態を電動又は手動で解錠状態にしたまま開閉体２を開いたときに、錠箱１内に後退した施錠片４の解錠状態を保持する解錠状態保持機構３１と、一方、開閉体２を閉じた時、トリガー１１の作動により前記解錠状態保持機構３１の解錠状態が解かれ、これにより前記施錠片４が錠箱１から自動的に突出して自動施錠状態となる錠前Ｘであって、前記解錠状態保持機構３１は、第１係合腕５２及び第２係合腕５３を有すると共に、前記錠箱１に軸支されたストッパレバー３３と、このストッパレバーの前記第２係合腕５３と係脱する被係合部３８を有すると共に、ダルマ３に噛合するラック４３を有する摺動部材３２と、前記ストッパレバー３３を前記摺動部材３２に係合する方向へ常時付勢するバネ部材５５とから構成されている。
【００１３】
一方、前記トリガー１１は、前記錠箱１に水平移動自在に設けられていると共に、前記第１係合腕５２に直接又は間接的に連係するように係合し、前記開閉体２を閉じると、前記トリガー１１が錠箱１内へ後退動して前記ストッパレバー３３が前記解錠状態の保持状態を解く方向へと回転し、前記ダルマ３は錠箱内に配設された付勢手段７０の付勢力により自動的に施錠方向へと回動して、前記施錠片４が自動施錠状態になる。
【００１４】
（３）その他の特徴事項
本実施例では、その他の特徴事項が存在する。これらの特徴事項は、公知文献との関係で、本発明の限定要件となり得るものである。すなわち、上記構成に於いて、動力源の付勢手段７０は、錠箱１側に一端部が取付けられ、一方、他端部がダルマ３側に取付けられている。そして、付勢手段７０は、捩じりコイルバネ７１と、該捩じりコイルバネの螺旋状中央部７１ｂを横柱７２ｃで支持する可動のバネガイド７２とから成る。
また、錠前Ｘは電気錠であり、また摺動部材３２は、該電気錠の錠箱１の前壁１ａの内面と錠箱１の後壁１ｂの内面の間を、傾斜案内部４８を介して往復運動をする。また、トリガー１１の後退時、ストッパレバー３３はトリガーと共働する間接部材１２を介して回転する。この間接部材１２は、本実施例では、間接部材の押圧片１３と該押圧片と共働する可動片１４とから成り、前記可動片１４の後端部は解錠状態保持機構３１を構成するストッパレバー３３の第１係合腕５２に係合している。
【００１５】
また、デッドボルト４には作動アーム１８の上端部が枢支され、一方、該作動アーム１８の下端部には、錠箱１側に設けられた案内切欠部２０に直接又は間接的な案内される横杆状のデッド用ストッパ１９を取付け、該デッド用ストッパ１９は、前記デッドボルト４が付勢手段７０の付勢力によって完全に突出した施錠時には、前記案内切欠部２０に案内されてデッドボルト４の後端面をロックする。
【００１６】
そして、前記解錠状態保持機構３１を構成する摺動部材３２は、少なくとも錠箱１の前壁１ａの内面と錠箱の後壁１ｂの内面の間を、傾斜案内部４８（図１１を参照）を介して往復運動するラック板３５と、該ラック板と共働するように接合しかつストッパレバー３３に係止される被係合部３８を有するスライダ板３４とを備えている（図７を参照）。
【００１７】
さらに、デッドボルト４には作動アーム１８の上端部が枢支され、一方、該作動アーム１８の下端部には、錠箱１側に設けられた案内切欠部２０に直接又は間接的な案内される横杆状のデッド用ストッパ１９を取付け、該デッド用ストッパ１９は、前記デッドボルト４が付勢手段７０の付勢力によって完全に突出した施錠時には、前記案内切欠部２０に案内されてデッドボルト４の後端面をロックする。
【００１８】
（４）図１乃至図２３に示す一実施例
以下、図１乃至図２３に示す一実施例により説明する。図１は、電気錠Ｘの錠箱１を、例えば、ガラス扉２の自由端部側の縦框２ａの中に組み込むことができる概略説明図である。
【００１９】
錠箱１は縦長に形成され、図１及び図２で示すように、該錠箱内には、デッドボルト（以下、ここでは当業者に通用する「デッド」の用語を用いる）の没入状態を保持する摺動部材３２及び該摺動部材用ストッパレバー３３を含む解錠状態保持機構３１と、該解錠状態保持機構に保持（ロック）されるダルマ３と、前記錠箱側に一端部が取付けられ、一方、他端部がダルマ側に取付けられた動力源としての付勢手段７０とが組込まれている。
【００２０】
電気錠Ｘは、動力源の付勢手段７０を用いているが、電気的に開閉可能であるのみならず、従来の一般的に普及している電気錠と同様に操作部材（合鍵、サムターン摘み）の操作力によって機械的に開閉可能（デッドの出没可能）である。それ故に、後述するようにダルマ３には図示しないシリンダ錠等が取付けられ、また、錠箱１内には、駆動モータ８０、図示しない検出手段と共にスイッチング回路を構成するプリント基板８１等の電気錠に必要な構成部材が適宜に組込まれる。
【００２１】
また、前記プリント基板８１に接続されたリード線（信号線）８２のコネクタ８３は、扉、建物の壁面等の適宜箇所に設置された制御部（制御盤）８４に接続する制御部側リード線（信号線）８５のコネクタ８６に接続可能である。
【００２２】
また、図３及び図４で示すように、駆動モータ８０の出力軸には駆動歯車（傘歯車）８７や動力伝達歯車８８（減速機構）が配設されている。なお、特に図示しないが、自動施錠モード、又は連続解錠モードのいずれかに選択することができるモード切り換え手段（例えば操作スイッチ）が、例えば錠箱の前壁部、制御盤等の適宜箇所に設けられている。また、錠箱１内には、図示しないロック解除用回転体が適宜に配設されている。
【００２３】
さて、本実施例の主要部は、例えば図３、図５等で示すトリガー１１と、該トリガーに連動する解錠状態保持機構３１である。解錠状態保持機構３１は、例えば図５、図６等で示すように、錠箱１に軸支されたストッパレバー３３と、このストッパレバーの前記第２係合腕５３と係脱する被係合部３８を有すると共に、ダルマ３に噛合するラック４３を有する摺動部材３２と、前記ストッパレバー３３を前記摺動部材３２に係合する方向へ常時付勢するバネ部材５５とから構成されている。そして、第１実施例では、前記解錠状態保持機構３１のストッパレバー３３は、トリガー１１の後端部に直接係合し、また、後述の第１実施例では、前記ストッパレバー３３は、間接部材１２を介してトリガー１１の後端部に間接的に係合している。
【００２４】
図１はデッド４が錠箱１から突出した完全施錠位置、一方、図２はデッド４が完全施錠位置から完全解錠位置へと後退し、解錠状態保持機構３１のストッパレバー３３が摺動部材３２の横柱状の被係合部３８に対して係合した状態（解錠状態保持状態）である。
【００２５】
例えば電気錠Ｘの駆動モータ８０が解錠方向へ起動すると、歯車群と噛合するロック解除用回転体が回転し、摺動部材３２は錠箱側の直線案内長孔４８を介してスライドするので、摺動部材３２のラック板３５のラック４３と噛合するダルマ３は完全施錠位置から完全解錠位置まで回転する。したがって、デッド４は動力変換機構の一例である駆動リンク５を介して解錠位置へと戻される（図２）。また、電気錠Ｘは、図示しない合鍵操作によりダルマ３が解錠方向へ回転すると、完全施錠位置から完全解錠位置まで回転する。したがって、デッド４は動力変換機構５を介して解錠位置へと戻される（図２）。
【００２６】
このように、電動力であれ、手動の操作力であれ、図２で示すように解錠状態になると、バネ部材５５のバネ力により、解錠状態保持機構３１のストッパレバー３３は、解錠状態保持機構３１の摺動部材３２をロック（解錠状態を保持する状態）し、開閉体（例えば扉）２を開いても、デッド４の没入状態を保持する。
【００２７】
そこで、本実施例では、開閉体２を閉じると、図５で示すように、トリガー１１が錠箱１内へ後退動してストッパレバー３３が解錠状態の保持状態を解く方向へと回転し、ダルマ３は錠箱１内に配設された付勢手段７０の付勢力により自動的に施錠方向へと回動して、施錠片としてのデッド４が自動施錠状態になる。
【００２８】
（５）電気錠Ｘ等を詳細
電気錠Ｘ等を詳細に説明する。図２を参照にすると、Ｘは電気錠（錠前）、Ｙは戸枠、Ｚは受け金具である。また、１ａは錠箱１の前壁、１ｂは錠箱の後壁、１ｃは錠箱の幅広側壁（以下、「側壁」という。）、１ｄはデッドが出没する貫孔である。符号３は縦長錠箱１の下部側に図示しない受け座あるいは、座部を介して回動自在に設けられたダルマで、このダルマ３は、正面視側（図２、図１４）に全体の形状が見えるダルマ本体２１と、背面視側（図１５）に全体の形状が見える駆動カム２２とから成り、前記駆動カム２２は前記ダルマ本体２１と一体に結合している。
【００２９】
しかして、ダルマ本体２１は座部に嵌合する表環状部２１ａに、異形の不番開口が形成されている。周知のように、前記不番開口には、図示しないテールピースあるいは、連結杆が挿通され、該連結杆を介してシリンダ錠の内筒が連結されている。したがって、ダルマ３は操作部材としての合鍵の操作力によって回動可能である。
【００３０】
また、ダルマ本体２１は、その表環状部２１ａに連設する円形状外周部２１ｂの一部にセクターギア２３と半径外方向へ山形状に突出する連結部２４をそれぞれ有している。前記セキターギア２３は、摺動部材３２のラック板３５に噛合し、一方、前記突起状連結部２４には、駆動リンク５が第２枢支ピン７を介して連結する。
【００３１】
ダルマ本体２１の裏側に合体する駆動カム２２も、図１５で示すように側壁１ｃの座部に嵌合する裏環状部２２ａに異形の不番開口が形成されている。周知のように前記不番開口には図示しないサムターン軸が挿通され、該サムターン軸にサムターン摘みが連結されている。
【００３２】
したがって、ダルマ３は、操作部材としてのサムターン摘みの操作力によっても回動可能である。また、駆動カム２２は、その裏環状部２２ａに連設する円形状外周部２２ｂの一部に半径外方向へ人さし指状に延伸する係合アーム２５と、該係合アーム２５の根元あるいは根元付近にバネ端用の小突起２６をそれぞれ有している。前記小突起２６には、例えば図１６及び図１７で示す付勢手段７０を構成する開脚変位バネ７１の他端部７１ｃが連結ピン２７を介して連結され、一方、前記係合アーム２５の折曲先端部は、後述の摺動部材３２を構成するラック板３５の被係合部に常時係合している。
【００３３】
次に、４はダルマ３の下方に水平状態に配設されたデッドで、該デッド４は短杆状の駆動リンク５を介して前記ダルマ３の突起部分に連結されている。付言すると、本実施例では、駆動リンク５は、その一端部がデッド側の第１枢支ピン６に、一方、他端部がダルマ側の第２枢支ピン７にそれぞれ軸支され、ダルマ３の回動力をデッド４の進退動（往復運動）に変換する。また本実施例では、デッド４を案内する案内手段（ガイド板、ガイド溝、ガイド突起等）については、特に図示しないが、デッド４は、デッド４及び側壁１ｃに設けられた案内手段に案内され、出没自在に戸枠Ｙの受け金具Ｚに係脱する。
【００３４】
次に、３１はデッドの没入状態を保持する解錠状態保持機構で、該解錠状態保持機構３１は、摺動部材３２、該摺動部材用ストッパレバー３３及びバネ部材５５を含み、ダルマ３を基準として、望ましくは、ダルマ３よりも上方に配設されている。図６は解錠状態保持機構３１の摺動部材３２とストッパレバー３３をそれぞれ示す。
【００３５】
ここで、図７乃至図１３を参照にして、摺動部材３２の具体的構成を説明する。図８は、摺動部材３２の正面図であるが、該摺動部材３２は、図１２及び図１３で示すように垂直のスライダ板３４（図１２）と垂直のラック板３５（図１３）の二枚から構成され、これらのスライダ板３４とラック板３５は前後方向に接合している。
【００３６】
図８を基準にすると、ラック板３５はスライダ板３４の手前側に位置し、両板３４，３５は水平方向に所定間隔離間して設けられた複数個の係合部、被係合部、水平切欠部３６，３７，３７ａ，３７ｂ，３７ｃと介して互いに共働するように組み合っている。
【００３７】
図８を参照にすると、３６はスライダ板３４の幅広下端部の手前側（前側）に突設された左右或いは上下の係合突起、これに対して、３７は前記係合突起３６に係合するようにラック板３５の下端部に形成された左右の水平案内切欠と水平案内長孔である。手前側のラック板３５は、これらの係合部３６，３７を介して、所定量水平方向へ往復可能である。
【００３８】
また、３８，３９はスライダ板３４の中央部の前面に突設された左右の第１・第２案内突起部材で、図９の断面図と図１０の端面図と比較すると明らかなように、一方側（図９では左側）の第１案内突起部材（横柱状の被係合部）３８は、他方側（右側）の第２案内突起部材３９よりも手前側に多少突出している。
【００３９】
しかして、前記左側の第１案内突起部材３８は、その基端部がスライダ板３４の傾斜状左端部に固定された状態でラック板３５の左端部の逃し用水平案内切欠３７ａを貫通する第１支軸３８ａと、この第１支軸３８ａに取付けられた第１スライダコロ３８ｂ、ストッパコロ３８ｃ等から成り、前記第１支軸３８ａの突出先端部は適宜にかしめられている（図９参照）。
【００４０】
付言すると、第１支軸３８ａの突出先端部は、望ましくは不番のワッシャと面一になるようにかしめられている。この第１案内突起部材３８は、本実施例では、後述するように「ロック部材」の機能も兼用している。
【００４１】
一方、前記右側の第２案内突起部材３９は、その基端部がスライダ板３４の突起状右端部に固定された状態で、ラック板３５の復帰バネ４０収納用水平切欠部３７ｂを貫通する第２支軸３９ａと、この第２支軸３９ａに取り付けられた第２スライダコロ３９ｂ等から成り、前記第２支軸３９ａの突起先端部も第１支軸３８ａのそれと同様に適宜にかしめられている。したがって、第２案内突起部材３９は、ストッパコロ３８ｃを有しない分、その長さは第１案内突起部材３８よりも短くなっている（図１０参照）。
【００４２】
また、スライダ板３５の第１・第２案内突起部材３８，３９の間には水平方向に所定長の復帰バネ４０用水平切欠部３７ｃが形成されている、それ故に、スライダ板３４の水平切欠部３７ｃの右端縁部には第１バネ受け部４１が設けられ、一方、ラック板３５の水平切欠部３７ｂの左端縁部には第２バネ受け部４２が設けられ、これらの第１・２バネ受け部４１，４２に復帰バネ４０の両端が支持された状態で両水平切欠部３７ｂ，３７ｃに収納される。
【００４３】
さらに、ラック板３５の構成について付言すると、ラック板３５の下端縁部には水平方向にダルマ３のセクターギア２３を噛合するラック４３が形成されており、また、ラック板３５の上端縁部の適宜個所には、後述するストッパレバー３３を押圧して解錠状態保持機構３１のロック状態（ストッパレバーがスライダ３４の第１案内突起部材３８に係合している係止状態）を解くための傾斜状押圧部４４が形成されており、さらに、ラック板３５の裏側の一端部には、ダルマ３の駆動カム２２の係合アーム２５の内側が面接触状態で係合する突起状の被係合部４５が設けられている。
【００４４】
したがって、本実施例では、摺動部材３２は、ストッパレバー３３の先端部と係脱するロック部材３８を有するスライダ板３４と、このスライダ板に係合部・被係合部３６，３７を介して共働するように組み合わせられ、かつダルマ３のセクターギア２３と噛合するラック４３を有するラック板３５と、このラック板のバネ受け部４２と前記スライダ板のバネ受け部４１との間に組み込まれたラック板用復帰バネと４０から成り、例えば合鍵、サムターン摘み等の操作部材を若干施錠方向へ回転操作すると、摺動部材３２のラック板３５は、ラック板用復帰バネ４０のバネ力に抗して若干施錠方向へと移動すると共に、ストッパレバー３３を押圧して解錠状態保持機構３１のロック状態を解くこともできる。
【００４５】
ここで、図１１を参照にして、摺動部材３２を直線方向に案内するガイド板４７について説明する。ガイド板４７は、後述するストッパレバー３３と共に、錠箱の一側壁１ｃ（図２を基準にすると、手前側の正面の側壁）の内壁面に沿って適宜の固定されている。このガイド板４７の数、厚さ、形状等は任意に設計することができる事項であるが、単数又は複数のガイド板４７は、水平又は斜め方向（本実施例）の直線案内長孔４８を有し、該直線案内長孔４８には、第１・第２案内突起部材３８，３９の各スライダコロ３８ｂ、３９ｂが摺動自在に嵌合している。
【００４６】
次に、図３乃至図７、図１４等を参照にして解錠状態保持機構３１を説明する。例えば図３を参照にすると、トリガー１１は錠箱１の前壁１ａ側に水平動自在に配設され、戸枠側の図示しないマグネットの極性に対応して反発するマグネットを有するブロック状の先端部１１ａと、この先端部１１ａに水平方向に延在する任意形状の後端部１１ｂとから成り、前記後端部１１ｂには、ストッパレバー３３の第１係合腕５２の係合孔５２ａに係合する可動ピン１１ｃが設けられている。前記ストッパレバー３３はダルマ３の上方に固定支軸５１を介して回転自在に側壁１ｃに軸支されている。このストッパレバー３３は、例えば図３を基準にすると、固定支軸５１を基準として、上方に延伸する第１係合腕（いわば親指に相当）５２と、左斜め下方方向に延伸してスライダ板３４の第１案内突起部材（突起状被係合部）３８に係脱する第２係合腕（いわば人差し指に相当）５３と、右斜め下方方向に延伸してバネ部材５５の一端部を受けるバネ端受け部分５４と、前記第１係合腕５２と第２係合腕５３との間の適宜部位に小突起状に突出され、かつラック板３５の押圧部４４と摺設する受け部分５６とから成っている。
【００４７】
次に、図１６乃至図１８を参照にして動力源としての付勢手段７０について説明する。付勢手段７０は、図２で示すようにダルマ３の駆動カム２２と錠箱の前壁１ａとの間の空間に配設されている。本実施例の付勢手段７０は、捩じりコイルバネ７１と、該捩じりコイルバネを支持した状態で所定方向へ案内するバネガイド７２とから成る。
【００４８】
しかして、前記捩じりコイルバネ７１は、その両端部を延伸させた開脚変位バネであり、該開脚変位バネは７１、その螺旋状中央部７１ｂを保持しかつ一端部７１ａが固定軸７４を介して軸支された可動の前記バネガイド７２を介して開脚変位する。
【００４９】
前述したように、開脚変位バネ７１の他端部７１ｃは、本実施例では、ダルマ３の駆動カム２２の小突起２６に連結ピン２７を介して取付けられている。そして、本実施例の捩じりコイルバネ７１は、デッド４に対して、いわゆる側圧が掛かっている（負荷されている）場合であっても、電動モータの起動、操作部材による操作起動等による初期動力によって、摺動部材３２に対する解錠状態保持機構３１のロック状態が解かれている限り、以後、ダルマ３を介してデッド４を完全に押し出すことができるよう、そのバネ力が設定されている。
【００５０】
図１７は、バネガイド７２の一例を示す。バネガイド７２は、錠箱１の側壁１ｃを摺接する垂直ベース板部７２ａと、この垂直ベース板部７２ａの左右端部に連設する枠状の囲い部７２ｂとを有し、前記垂直ベース板部７２ａの基端部には軸孔が形成され、一方、垂直ベース板部７２ａのやや幅広自由端部の内面には前述した螺旋状中央部７１ｂが外嵌合する横柱７２ｃが設けられている。バネガイド７２は、前記横柱７２ｃを有しているので、開脚変位バネの螺旋状中央部７１ｂの巻数を多くしても、容易に変形せず、形態が常に一定の状態に保持されている。このように、本実施例の付勢手段７０は、捩じりコイルバネ７１と、該捩じりコイルバネの螺旋状中央部を横柱７２ｃで支持する可動のバネガイド７２とから成ることを特徴とする。
【００５１】
次に、例えば図１９、図２１、図２２等を参照にして、ダルマ３の回動運動をデッド４の直線運動に変換する機構及びデッド用のストッパ１９について説明する。本実施例の動力変換手段５は、例えば駆動リンク５である。この駆動リンク５は、その一端部がデッド４側の第１枢支ピン６に、一方、他端部がダルマ側の第２枢支ピン７にそれぞれ軸支され、操作部材の操作力又は図示しない駆動モータの駆動力で回転するダルマ３の回転力を、デッド４の進退動に変換する。
【００５２】
しかして、本実施例では、駆動リンク５は、その一端部（先端部）がデッド４の本体４ａの上辺に設けられた突起４ｂに第１枢支ピン６を介して軸支され、一方、その他端部（末端部）は、ダルマ３の外周縁部に第２枢支ピン７を介して直接軸支されている。符号１９はデッド用ストッパで、該デッド用ストッパ１９は、施錠時、駆動リンク５とは異なる作動アーム１８の位置変位により、デッド４の後端面と錠箱１の後壁１ｂの内壁面との間の空間に入り込んで該デッド４の後退を阻止する。
【００５３】
ところで、前記作動アーム１８は、前記駆動リンク５に対して二本目のリンク（駆動リンクに連結されていないこと）である。付言すると、本実施例では、１本目、二本目及び三本目をそれぞれ連係させて一つのリンク機構を構成していない。また、その一端部（上端部）がダルマ３の周端部にダルマ側の第２枢支ピン７に対して所定間隔離間するダルマ側の第３枢支ピン８に軸支され、かつ、他端部（下端部）にデッド用ストッパ１９を一体的に有し、該デッド用ストッパ１９は、錠箱の左右の側壁１ｃ、１ｃに直接又は間接的（本実施例）に設けられた上下方向の曲線形状案内切欠部２０、２０に案内されると共に、施錠時、前記案内切欠部２０の終端部分に相当する垂直部２０ｃに落ち込んで、該デッド４の後退を確実に阻止（ロック）する横棒突起である。
【００５４】
また、前記曲線形状案内切欠部２０は、錠箱１の左右側壁１ｃ、１ｃの各内壁面にそれぞれ固定された一対の案内固定板９，９にそれぞれ対向するように形成されている。そして、曲線形状案内切欠部２０は、上下方向に「ややＳ字型カーブ」を描くように形成され、その上端部に相当する垂直部分の始点２０ａから、中途部に相当する弧状或いは傾斜状部分２０ｂと、終端部分に相当する垂直部２０ｃとから成る。また、横棒突起のデッド用ストッパ１９は、その両端部が前記左右一対の曲線形状案内切欠部２０、２０に架設された状態で係合している。
【００５５】
図２１及び図２３は、解錠時から施錠時に至る駆動リンク５とデッド用ストッパ１９の動きを示す各概略説明図である。解錠時、デッド４は、錠箱１内に後退している。この時、駆動リンク５は水平状態であるのに対して、作動アーム１８はデッド４の上辺に垂直状態になっている。
【００５６】
付言すると、駆動リンク５の第１枢支ピン６と第２枢支ピン７は、同一水平線上に位置し、また、作動アーム１８の第３枢支ピン８の真下に横棒状のストッパ１９が位置している。そして、作動アーム１８の下端部又はストッパ１９は、デッド４の後端部に形成された傾斜状受け面１０の上端部分１０ａに当接している。
【００５７】
（６）主要部の作用
開扉時、例えば図３で示すようにデッド４が錠箱１内に没入し、かつ、この没入状態が解錠状態保持機構３１によって保持されている時、前記開閉体２を閉じると、前記トリガー１１は戸枠側の図示しないマグネットの極性に対応して反発し、図５で示す矢印Ａ方向へと後退動する。そうすると、解錠状態保持機構３１のストッパレバー３３は、バネ部材５５のバネ力に抗して、かつ固定支軸５１を支点にして、矢印Ｂの時計方向へと若干回転する。つまり、ストッパレバー３３は、トリガー１１の作動によって、解錠状態保持機構３１の解錠状態の保持状態を解く方向へと回転する。そうすると、ダルマ３は錠箱内の付勢手段７０の付勢力により自動的に施錠方向へと回動して、施錠片４が自動施錠状態になる。
【００５８】
図１９を参照にして付言すると、トリガー１１が後退動すると、解錠状態保持機構３１の摺動部材３２に対するストッパレバー３３の係止が解かれるので、直ちに動力源としての付勢手段７０のバネ力がダルマ３に作用する。そうすると、ダルマ３は反時計方向に回転し始める。ダルマ３が反時計方向に回転すると、ダルマ３とデッドボルト４は、第１枢支ピン６、第２枢支ピン７及び駆動リンク５を介して連結されているから、前記駆動リンク５がダルマ３の回転力を変換する押圧機能（突っ張り機能）を発揮し、デッド４は突出方向へと水平移動する。
【００５９】
そして、ダルマ３が引き続き回転し続けると、解錠状態から施錠状態に至る途中に於いて、デッド用ストッパ１９が曲線形状案内切欠部２０の中途部分２０ｂに案内されながらデッド４の後端部の傾斜状受け面１０を押し付ける。つまり、二本目のリンクに相当する作動アーム１８が、駆動リンク５に共働として補助的にデッドボルト４を押し付ける。
施錠時、駆動リンク５が所定位置にて傾倒状態になると、ストッパ１９が案内切欠部の終点に相当する垂直部２０ｃに落ち込んで、該デッド４の後退を阻止する。付言すると、デッド用ストッパ１９は、少なくとも錠箱１の左右の側壁に間接的に設けられた一対の曲線形状案内切欠部２０、２０の垂直部分２０ｃ、２０ｃに係止状態に架設されているので、デッド４は容易に後退しない。
【実施例】
【００６０】
本実施例の摺動部材３２は、望ましくは錠箱１の前壁１ａの内面と錠箱１の後壁１ｂの内面の間を、傾斜案内長孔４８を有するガイド板４７を介して傾方向に往復運動をする。このように構成すると、縦長の錠箱１の内部空間を有効的に活用することができる。
【００６１】
また、本実施例に於いて、ストッパレバー３３は、ストッパレバー用のバネ部材５５のバネ力によって摺動部材を係止する方向へと回転するが、もちろん、前記バネ部材５５のバネ力に代えて、磁性体の反発力により摺動部材３２を係止する方向へと回転されることもできる。磁性体の極性に基づく反発力を利用する場合には、錠箱の適宜箇所とストッパレバー３３の適宜箇所にそれぞれ磁性体が設けられる。
【００６２】
また、本実施例の摺動部材３２は、望ましくはストッパレバー３３の先端部と係脱するロック部材３８を有するスライダ板３４と、このスライダ板に係合部３６を介して共働するように組み合わせられ、かつダルマ３のセクターギア２３と噛合するラックを有するラック板３５と、このラック板のバネ受け部と前記スライダ板のバネ受け部との間に組み込まれたラック板用復帰バネ４０とから成るが、摺動部材３２は、二枚の板体にせず、一枚のラック板３５にしても良い。また、ストッパレバー３３及びラック板３５の形状については、任意に設計変更することができる事項である。
【００６３】
さらに、特に図示しないが、ダルマ３の回動運動をデッド４の往復運動に変換する事項も、駆動リンク５に代えて、特許文献１に記載のデッドカム（ダルマ）の半径外方向に延伸する作動カムにすることもできる。
【００６４】
次に、図２４至図３１は、本発明の第２実施例である。この第２実施例は、トリガー１１Ａが後退動した時に、ストッパレバー３３はトリガーと共働する間接部材１２を介して回転する。間接部材１２は、トリガー１１Ａの後端部とストッパレバー３３の第１係合腕の間に互いに共働或いは連係することができるように介在している。
【００６５】
しかして、間接部材１２は、例えば右手の三本の指をそれぞれ所定角度広げた格好の押圧片１３と、この押圧片１３に係合すると共にストッパレバー３３の第１係合腕５２と係合する可動片１４とから成る。
【００６６】
もちろん、設計如何によっては、間接部材１２を複数片の組み合わせではなく、「一つの部材」にすることができる。しかしながら、望ましくは、ストッパレバー３３を確実に回転させるため、或いは戸枠Ｙの縦枠と開閉体２の縦框２ａとの間のクリアランス等を考慮して、前記押圧片１３は、例えばトリガー１１Ａが第１バネ部材１５のバネ部材のバネ力に抗して後退する際に、若干後退動しながら該トリガー１１Ａの後端部の係合部１１ｄから離れる後退・回転型に構成し、また、前記３本指の可動片１４は、前記押圧片１３の後方アームに押圧されながら後方へと位置変位する後退型に構成する。
【００６７】
ところで、押圧片１３は、中央部分１３ａから先端部へと延在しかつトリガー１１Ａの係合部１１ｄに係脱する前方アーム１３ｂと、前記中央部分１３ａから後方へと略水平状態に延在すると共に、錠箱１の一側壁の内壁面にガイド１６を介して案内されかつ可動片１４の中央部に突出形成した係合受け部１４ａに係合する後方アーム１３ｃと、前記中央部分１３ａから上方に延在しかつ錠箱内に適宜に配設された第２バネ部材１７のバネ力に抗して回転変位する上方アーム１３ｄをそれぞれ有している。その他の細部的事項は、本発明の限定要件ではないので、その詳細な説明は割愛する。
【００６８】
なお、本実施例のトリガー（１１、１１Ａ）は、その形態如何を問わず、先端部にマグネットを有するが、戸枠Ｙ側に小突起を設けた場合には、閉戸時、トリガー（１１、１１Ａ）の先端部１１ａは、前記小突起に押されて後退するので、前記マグネットは本質的要件ではない。しかしながら、戸枠Ｙ側に小突起を設けるのは好ましくないので、望ましくは「マグネットトリガー」を採用している。
【産業上の利用可能性】
【００６９】
本発明は、主に錠前や建具の業界で利用される。
【符号の説明】
【００７０】
１…錠箱、２…扉、３…ダルマ、５…駆動リンク、１１…トリガー、１２…間接部材、１３…押圧片、１４…可動片、１５…第１バネ部材、１６…ガイド、１７…第２バネ部材、２１…ダルマ本体、２２…駆動カム、２５…係合アーム、３１…解錠状態保持機構、３２…摺動部材、３３…ストッパレバー、３４…スライダ板、３５…ラック板、４７…ガイド板、４８…傾斜案内長孔、７０…付勢手段、７１…捩じりコイルバネ、７１ｂ…中央部、７２…バネガイド、７４…固定軸、１８…作動アーム、２０…案内切欠部、１９…デッド用ストッパ、８０…駆動モータ、８１…プリント基板、８２，８５…リード線、８４…制御部、８７…駆動歯車、８８…動力伝達歯車。
【図１】
0005420444.tif 000002
【図２】
0005420444.tif 000003
【図３】
0005420444.tif 000004
【図４】
0005420444.tif 000005
【図５】
0005420444.tif 000006
【図６】
0005420444.tif 000007
【図７】
0005420444.tif 000008
【図８】
0005420444.tif 000009
【図９】
0005420444.tif 000010
【図１０】
0005420444.tif 000011
【図１１】
0005420444.tif 000012
【図１２】
0005420444.tif 000013
【図１３】
0005420444.tif 000014
【図１４】
0005420444.tif 000015
【図１５】
0005420444.tif 000016
【図１６】
0005420444.tif 000017
【図１７】
0005420444.tif 000018
【図１８】
0005420444.tif 000019
【図１９】
0005420444.tif 000020
【図２０】
0005420444.tif 000021
【図２１】
0005420444.tif 000022
【図２２】
0005420444.tif 000023
【図２３】
0005420444.tif 000024
【図２４】
0005420444.tif 000025
【図２５】
0005420444.tif 000026
【図２６】
0005420444.tif 000027
【図２７】
0005420444.tif 000028
【図２８】
0005420444.tif 000029
【図２９】
0005420444.tif 000030
【図３０】
0005420444.tif 000031
【図３１】
0005420444.tif 000032